(57)【要約】【課題】操業中にメインシリンダが故障等してスライド金枠がスライド不能に陥った場合でも、容易に面圧の解除作業を行うことが可能なスライディングノズル装置を提供する。【解決手段】面圧負荷手段は、固定金枠１１の両側部にそれぞれ形成された張出部１１ａの直下に連結ピン２４を介して装着された一対のバネケース２２と、開閉金枠１２の両側部に形成され、各バネケース２２の上方に位置する一対のガイドケース２５と、固定プレート２８と摺動プレート２７との間の面圧の負荷及び解除を行う一対の面圧バー１４と、面圧バー１４の後端部間に架設された同調ビーム１５とから概略構成されている。開閉金枠１２の後端部１２ａと同調ビーム１５の前端部１５ａにそれぞれ切欠部１６ａ、１６ｂが形成され、非常用面圧解除治具がセット可能な切欠部１６となっている。【選択図】図１
2010234426.tif 000002
【特許請求の範囲】
【請求項１】
溶融金属容器の底部に設置された固定金枠に対して開閉可能とされた開閉金枠と、前記固定金枠と前記開閉金枠との間に配置されたスライド金枠をスライドさせるシリンダと、面圧の負荷及び解除を行う一対の面圧バーと、前記一対の面圧バー間に架設された同調ビームとを有し、前記シリンダにより前記同調ビームを介して前記一対の面圧バーを可動するスライディングノズル装置において、
前記開閉金枠の後端部、及び／又は前記開閉金枠の後端部と対面する前記同調ビームの前端部に、非常用面圧解除治具をセットするための切欠部が形成されていることを特徴とするスライディングノズル装置。
【請求項２】
請求項１記載のスライディングノズル装置において、前記切欠部に挿入され、前記同調ビームの前端部と前記開閉金枠の後端部との間の間隙を押し広げる拡開部が、前記非常用面圧解除治具に設けられているスライディングノズル装置。
【発明の詳細な説明】
【技術分野】
【０００１】
本発明は、溶融金属容器内の溶融金属の流出量を制御するスライディングノズル装置に関し、特に、摺動プレートを保持するスライド金枠をスライドさせるシリンダにより面圧の負荷及び解除操作を行うスライディングノズル装置に関する。
【背景技術】
【０００２】
プレート間からの溶融金属の漏洩を防止するため、スライディングノズル装置には、プレート間に面圧を負荷する面圧負荷手段が設けられている。面圧を負荷する方法としては、圧縮バネの弾発力を利用して摺動プレートを固定プレートに押し付ける方法が一般的である。近年では、摺動プレートを保持するスライド金枠をスライドさせるシリンダ（以下では、「メインシリンダ」と呼ぶことがある。）により、圧縮バネの圧縮とその解放を行うスライディングノズル装置が普及している（例えば、特許文献１参照）。このようなスライディングノズル装置を用いることにより、面圧の負荷及び解除作業が大幅に自動化され、作業者の負担を軽減することができる。
【０００３】
しかし、上記スライディングノズル装置では、操業中にメインシリンダが故障等してスライド金枠がスライド不能に陥った場合、面圧の解除操作を行うことができなくなる。
そこで、特許文献２では、非常用の面圧解除手段を着脱自在に設けたスライドゲート（スライディングノズル装置）の面圧負荷装置の発明が提案されている。具体的には、面圧の負荷及び解除を行う一対の面圧バー間に架設された連結金具（同調ビーム）とハウジング（固定金枠）端部にそれぞれ、非常用面圧解除シリンダを装着するためのＣ型ブラケットが設けられている。非常時には、連結金具とハウジング端部とを非常用面圧解除シリンダで連結し、非常用面圧解除シリンダのシリンダロッドを引き込むことにより、連結金具がメインシリンダ側へ移動し、面圧が解除される。
【先行技術文献】
【特許文献】
【０００４】
【特許文献１】特開平８−１１７９８５号公報
【特許文献２】特開平１１−２５４１２６号公報
【発明の概要】
【発明が解決しようとする課題】
【０００５】
しかしながら、特許文献２に記載されている発明の場合、非常用面圧解除シリンダのヘッド側に設けられた取付ピンをハウジング端部のＣ型ブラケットに差し込み、油圧装置を用いて、非常用面圧解除シリンダのヘッド側とエンド側の取付ピンの間隔を、連結金具とハウジング端部にそれぞれ設けられたＣ型ブラケット間の間隔に一致させ、非常用面圧解除シリンダのエンド側の取付ピンを連結金具のＣ型ブラケットに収納させるという、大変手間の掛かる作業を行わなければならない。
【０００６】
本発明はかかる事情に鑑みてなされたもので、操業中にメインシリンダが故障等してスライド金枠がスライド不能に陥った場合でも、容易に面圧の解除作業を行うことが可能なスライディングノズル装置を提供することを目的とする。
【課題を解決するための手段】
【０００７】
上記目的を達成するため、本発明は、溶融金属容器の底部に設置された固定金枠に対して開閉可能とされた開閉金枠と、前記固定金枠と前記開閉金枠との間に配置されたスライド金枠をスライドさせるシリンダと、面圧の負荷及び解除を行う一対の面圧バーと、前記一対の面圧バー間に架設された同調ビームとを有し、前記シリンダにより前記同調ビームを介して前記一対の面圧バーを可動するスライディングノズル装置において、前記開閉金枠の後端部、及び／又は前記開閉金枠の後端部と対面する前記同調ビームの前端部に、非常用面圧解除治具をセットするための切欠部が形成されていることを特徴としている。
【０００８】
本明細書では、スライディングノズル装置を構成する各構成要素の向きに関して、メインシリンダが設置されている側を「後」側、その逆側を「前」側とする。
【０００９】
面圧が負荷されている状態では、同調ビームの前端部が開閉金枠の後端部に近接している。このため、メインシリンダが故障等してスライド金枠がスライド不能に陥った場合、面圧を強制的に解除するための非常用面圧解除治具を、同調ビームの前端部と開閉金枠の後端部との間にセットすることができない。そこで、本発明では、開閉金枠の後端部、及び／又は開閉金枠の後端部と対面する同調ビームの前端部に、非常用面圧解除治具をセットするための切欠部を形成したものである。
【００１０】
また、本発明に係るスライディングノズル装置では、前記切欠部に挿入され、前記同調ビームの前端部と前記開閉金枠の後端部との間の間隙を押し広げる拡開部が、前記非常用面圧解除治具に設けられていることを好適とする。
【発明の効果】
【００１１】
本発明に係るスライディングノズル装置では、開閉金枠の後端部、及び／又は開閉金枠の後端部と対面する同調ビームの前端部に切欠部が形成されているので、メインシリンダが故障等してスライド金枠がスライド不能に陥った場合には、切欠部に非常用面圧解除治具をセットし、同調ビームの前端部と開閉金枠の後端部との間の間隙を押し広げることにより、容易に面圧の解除作業を行うことができる。
【図面の簡単な説明】
【００１２】
【図１】本発明の一実施の形態に係るスライディングノズル装置の部分平面図である。
【図２】同スライディングノズル装置の部分側面図である。
【図３】図１のＡ−Ａ矢視断面図並びに非常用面圧解除治具の模式図である。
【図４】面圧負荷機構を説明するための模式図である。
【図５】（Ａ）、（Ｂ）は非常時の面圧解除方法を説明するための模式図である。
【図６】他の非常用面圧解除治具の模式図である。
【発明を実施するための形態】
【００１３】
続いて、添付した図面を参照しつつ、本発明を具体化した実施の形態につき説明し、本発明の理解に供する。なお、以下の説明では、先に述べたように、スライディングノズル装置を構成する各構成要素の向きに関して、メインシリンダが設置されている側を「後」側、その逆側を「前」側とする。また、便宜上、開閉金枠側を「上」側、固定金枠側を「下」側として説明する。
【００１４】
図１〜図３に、本発明の一実施の形態に係るスライディングノズル装置１０を示す。
スライディングノズル装置１０は、溶融金属容器２９の底部に設置され、固定プレート２８を保持する固定金枠１１と、固定金枠１１に対して開閉可能とされた開閉金枠１２と、固定金枠１１と開閉金枠１２との間に配置され固定プレート２８に摺接する摺動プレート２７を保持するスライド金枠１３と、スライド金枠１３をスライドさせるメインシリンダ２１（シリンダ）と、面圧負荷手段とを備えている。
【００１５】
面圧負荷手段は、固定金枠１１の両側部にそれぞれ形成された張出部１１ａの直下に連結ピン２４を介して装着された一対のバネケース２２と、開閉金枠１２の両側部に形成され、各バネケース２２の上方に位置する一対のガイドケース２５と、固定プレート２８と摺動プレート２７との間の面圧の負荷及び解除を行う一対の面圧バー１４と、面圧バー１４の後端部間に架設された同調ビーム１５とから概略構成されている。
【００１６】
面圧バー１４は、スライド金枠１３のスライド方向Ｓに長く、ガイドケース２５内を挿通するロングバー１４ａと、ロングバー１４ａの下方に配置され、スライド金枠１３のスライド方向Ｓに短いショートバー１４ｂとを有し、Ｊの字を横にしたような形状をしている（図２参照）。また、ロングバー１４ａ及びショートバー１４ｂの前端部上辺は、前端に向けて下り傾斜となった傾斜部となっている。
一方、バネケース２２内には、張出部１１ａに対してバネケース２２を下方へ押圧する複数の圧縮バネ２３が、スライド金枠１３の摺動方向Ｓに沿って配置されている。また、バネケース２２の前端部には上方に向けて延出する長係合部２２ａが、バネケース２２の後端部には上方に向けて延出する短係合部２２ｂがそれぞれ設けられている。長係合部２２ａ及び短係合部２２ｂは矩形フレームからなり、上端部にはローラ２６が装着されている。
【００１７】
面圧負荷時には、面圧バー１４を前進させて、バネケース２２の前端部に設けられた長係合部２２ａにロングバー１４ａの前端部を、バネケース２２の後端部に設けられた短係合部２２ｂにショートバー１４ｂの前端部をそれぞれ後方から挿入させる。これに伴い、バネケース２２が上方に移動し、圧縮バネ２３が圧縮される。圧縮バネ２３が圧縮されると、バネケース２２内の圧縮バネ２３に発生した弾発力によって開閉金枠１２が下方に押し下げられ、固定プレート２８と摺動プレート２７との間に面圧が負荷される。
面圧を解除する場合は、面圧バー１４を後退させて、ロングバー１４ａを長係合部２２ａから抜くと共に、ショートバー１４ｂを短係合部２２ｂから抜けばよい。
【００１８】
同調ビーム１５の後端部中央には、スライド金枠１３の後端部とメインシリンダ２１のロッド２０の前端部とを連結する摺動ブロック１８と同調ビーム１５とを連結するための連結部１７が設けられている（図１参照）。面圧を負荷する際は、メインシリンダ２１を作動させて摺動ブロック１８を前方へ移動させ、当該摺動ブロック１８の上面に形成されたピン孔１８ａに図示しない連結治具を挿入して摺動ブロック１８と連結部１７を連結し、同調ビーム１５を前方へ移動させることにより、面圧を負荷する。連結治具は、面圧負荷後に摺動ブロック１８から外しておく。
なお、図４に示すように、摺動ブロック１８は、その上面が連結部１７よりも固定金枠１１側に位置しているため、スライド金枠１３をスライドさせた際に、摺動ブロック１８が連結部１７に接触することはない。
【００１９】
一方、面圧を解除する際は、メインシリンダ２１を作動させてピン孔１８ａを面圧解除位置まで移動させる。そして、前記ピン孔１８ａと連結部１７とを図示しない連結治具で連結し、メインシリンダ２１を作動させ同調ビーム１５を後方へ移動させることにより、面圧を解除する。
【００２０】
次に、上記構成を有するスライディングノズル装置１０のメインシリンダ２１が故障等してスライド金枠１３がスライド不能に陥った場合における非常時面圧解除方法について説明する。
本スライディングノズル装置１０では、図１に示すように、開閉金枠１２の後端部１２ａと同調ビーム１５の前端部１５ａにそれぞれ切欠部１６ａ、１６ｂが形成され、非常用面圧解除治具３０がセット可能な切欠部１６となっている。非常用面圧解除治具３０は、図３に示すように、切欠部１６に挿入され、同調ビーム１５の前端部１５ａと開閉金枠１２の後端部１２ａとの間の間隙をスライド金枠１３のスライド方向Ｓに押し広げる拡開部３１と、非常用面圧解除治具３０を把持するための把持部３２とを備えている。拡開部３１は、油圧配管３４によって接続された油圧ポンプ３５により把持部３２から延出するロッド３６の先端部に設けられ、同調ビーム１５の前端部１５ａを押圧する押圧部材３１ａと、把持部３２に固定され、開閉金枠１２の後端部１２ａを押圧する押圧部材３１ｂとから構成されている（図５参照）。また、押圧部材３１ａには、同調ビーム１５に当接する当接部３３が設けられている。
【００２１】
続いて、上記非常用面圧解除治具３０を使用してスライディングノズル装置１０の面圧を解除する方法について図５を用いて説明する。
（１）非常用面圧解除治具３０の拡開部３１を切欠部１６に挿入し、非常用面圧解除治具３０の当接部３３を同調ビーム１５に当接させる（図５（Ａ）参照）。
（２）油圧ポンプ３５を駆動してロッド３６を把持部３２から延出させ、同調ビーム１５の前端部１５ａを押圧部材３１ａで押圧すると共に、開閉金枠１２の後端部１２ａを押圧部材３１ｂで押圧する（図５（Ｂ）参照）。これにより、同調ビーム１５が後退し、強制的に面圧が解除される。
【００２２】
図６は、他の非常用面圧解除治具４０を示したものである。この非常用面圧解除治具４０では、拡開部４１が、油圧配管３４によって接続された油圧ポンプ３５により回動して同調ビーム１５の前端部１５ａを押圧する押圧部材４１ａと、開閉金枠１２の後端部１２ａを押圧する押圧部材４１ｂとから構成されている。非常用面圧解除治具４０の拡開部４１を切欠部１６に挿入して油圧ポンプ３５を駆動することにより押圧部材４１ａが回動し、同調ビーム１５の前端部１５ａと開閉金枠１２の後端部１２ａとの間の間隙が押し広げられる。
【００２３】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、非常用面圧解除治具の拡開部が油圧ポンプにより拡開するようにしているが、モータなど他の駆動源を用いてもよいし、あるいは手動で拡開するようにしてもよい。また、上記実施の形態では、開閉金枠の後端部と同調ビームの前端部に非常用面圧解除治具をセットするための切欠部が形成されているが、開閉金枠の後端部又は同調ビームの前端部のいずれか一方にのみ切欠部が形成されていてもよい。
【００２４】
また、スライド金枠のスライドに利用するメインシリンダを用いて面圧の負荷と解除を行うスライディングノズル装置であれば、本発明に係る機構を用いて、メインシリンダに異常が発生した際の面圧解除を行うことが可能である。従って、例えば、摺動ブロックに凸状の金物を設け、当該金物でスライド金枠を前側にスライドさせて面圧を負荷し、当該金物とスライド金枠とを治具で連結し、スライド金枠を後側に摺動させて面圧を解除するスライディングノズル装置など、メインシリンダを用いた他の方法で面圧の負荷と解除を行うスライディングノズル装置に用いることもできる。
【符号の説明】
【００２５】
１０：スライディングノズル装置、１１：固定金枠、１１ａ：張出部、１２：開閉金枠、１２ａ：後端部、１３：スライド金枠、１４：面圧バー、１４ａ：ロングバー、１４ｂ：ショートバー、１５：同調ビーム、１５ａ：前端部、１６、１６ａ、１６ｂ：切欠部、１７：連結部、１８：摺動ブロック、１８ａ：ピン孔、２０：ロッド、２１：メインシリンダ（シリンダ）、２２：バネケース、２２ａ：長係合部、２２ｂ：短係合部、２３：圧縮バネ、２４：連結ピン、２５：ガイドケース、２６：ローラ、２７：摺動プレート、２８：固定プレート、２９：溶融金属容器、３０：非常用面圧解除治具、３１：拡開部、３１ａ、３１ｂ：押圧部材、３２：把持部、３３：当接部、３４：油圧配管、３５：油圧ポンプ、３６：ロッド、４０：非常用面圧解除治具、４１：拡開部、４１ａ、４１ｂ：押圧部材
【図１】
2010234426.tif 000003
【図２】
2010234426.tif 000004
【図３】
2010234426.tif 000005
【図４】
2010234426.tif 000006
【図５】
2010234426.tif 000007
【図６】
2010234426.tif 000008